(57)【要約】  書籍に関する情報を端末上で閲覧するときに演出性を高めることができるコンテンツ配信システムを提供する。  端末部１４は、書籍コンテンツを表示する書籍コンテンツ表示部１４Ｄ１と、書籍コンテンツ表示部１４Ｄ１での表示内容に紐付く信号又は情報を入力可能な信号入力部１４Ｃ１と、信号入力部１４Ｃ１に信号又は情報が入力されたことを受けて書籍コンテンツ以外の演出コンテンツの配信を要求するための演出コンテンツ配信要求信号を出力する信号出力部１４Ｅ１と、を有し、コンテンツ配信部１２は、演出コンテンツを記憶する演出コンテンツ記憶部１２Ｂ２と、演出コンテンツ配信要求信号を受けて演出コンテンツ記憶部１２Ｂ２に記憶された演出コンテンツの中から所定の演出コンテンツを指定する演出コンテンツ制御部１２Ａ３と、演出コンテンツ制御部１２Ａ３で指定された演出コンテンツを端末部１４に出力する演出コンテンツ出力部１２Ｅ２と、を有する。
2017109993.tif 000002
【特許請求の範囲】
【請求項１】
書籍コンテンツを配信するコンテンツ配信部と、
前記コンテンツ配信部から配信された前記書籍コンテンツを出力する端末部と、
を有するコンテンツ配信システムであって、
前記端末部は、前記書籍コンテンツを表示する書籍コンテンツ表示部と、前記書籍コンテンツ表示部での表示内容に紐付く信号又は情報を入力可能な信号入力部と、前記信号入力部に前記信号又は前記情報が入力されたことを受けて前記書籍コンテンツ以外の演出コンテンツの配信を要求するための演出コンテンツ配信要求信号を出力する信号出力部と、を有し、
前記コンテンツ配信部は、前記演出コンテンツを記憶する演出コンテンツ記憶部と、前記演出コンテンツ配信要求信号を受けて前記演出コンテンツ記憶部に記憶された前記演出コンテンツの中から所定の前記演出コンテンツを指定する演出コンテンツ制御部と、前記演出コンテンツ制御部で指定された前記演出コンテンツを前記端末部に出力する演出コンテンツ出力部と、を有することを特徴とする演出制御システム。
【請求項２】
前記演出コンテンツ出力部は、前記演出コンテンツをストリーミング形式又はダウンロード形式で配信することを特徴とする請求項１に記載の演出制御システム。
【請求項３】
前記演出コンテンツ記憶部に、前記演出コンテンツと前記演出コンテンツ配信要求信号との対応関係を画定したテーブルが記憶されていることを特徴とする請求項１又は２に記載の演出制御システム。
【請求項４】
前記端末部は、前記演出コンテンツを選定する演出コンテンツ選定部を有し、
前記信号出力部は、前記演出コンテンツ選定部で選定された前記演出コンテンツを特定するための情報を前記演出コンテンツ配信要求信号に追加して出力することを特徴とする請求項１乃至３のいずれか１項に記載のコンテンツ配信システム。
【請求項５】
前記演出コンテンツは、映画、音楽又は音声に関する動画又は静止画の少なくとも１つを含むことを特徴とする請求項１乃至４のいずれか１項に記載の演出制御システム。
【発明の詳細な説明】
【技術分野】
【０００１】
本発明は、コンテンツを配信するためのコンテンツ配信システムに関する。
【背景技術】
【０００２】
従来から電子書籍に関するビジネスが知られている。所定の方法で電子書籍を購入することにより、自身の端末に電子書籍に関するデジタルデータを取り込んで端末上で閲覧することができる。【０００３】
電子書籍に関するビジネスでは、書籍に関するデータの配信でサービスが完結するため、紙媒体である従来の書籍の購入と異なり、コストが安くなるメリットがある。また、購入者が書店にわざわざ出向く必要もない点で便利である。
【先行技術文献】
【特許文献】
【０００４】
【特許文献１】特開２０１５−２１０６８９号公報
【発明の概要】
【発明が解決しようとする課題】
【０００５】
しかしながら、従来の電子書籍システムでは、書籍に関するデジタルデータの配信でサービスが完結しており、ユーザに書籍を楽しく読ませるための演出性が欠けていた。すなわち、従来の紙媒体の書籍が単にデジタルデータの配信を受けた端末上で再生できる程度にとどまり、そこに演出性を追及しようとすることはなかった。【０００６】
そこで、本発明は、上記問題に鑑み、書籍に関する情報を端末上で閲覧するときに演出性を高めることができるコンテンツ配信システムを提供することを目的とする。
【課題を解決するための手段】
【０００７】
本発明は、書籍コンテンツを配信するコンテンツ配信部と、前記コンテンツ配信部から配信された前記書籍コンテンツを出力する端末部と、を有するコンテンツ配信システムであって、前記端末部は、前記書籍コンテンツを表示する書籍コンテンツ表示部と、前記書籍コンテンツ表示部での表示内容に紐付く信号又は情報を入力可能な信号入力部と、前記信号入力部に前記信号又は前記情報が入力されたことを受けて前記書籍コンテンツ以外の演出コンテンツの配信を要求するための演出コンテンツ配信要求信号を出力する信号出力部と、を有し、前記コンテンツ配信部は、前記演出コンテンツを記憶する演出コンテンツ記憶部と、前記演出コンテンツ配信要求信号を受けて前記演出コンテンツ記憶部に記憶された前記演出コンテンツの中から所定の前記演出コンテンツを指定する演出コンテンツ制御部と、前記演出コンテンツ制御部で指定された前記演出コンテンツを前記端末部に出力する演出コンテンツ出力部と、を有することを特徴とする。【０００８】
前記演出コンテンツ出力部は、前記演出コンテンツをストリーミング形式又はダウンロード形式で配信することが好ましい。【０００９】
前記演出コンテンツ記憶部に、前記演出コンテンツと前記演出コンテンツ配信要求信号との対応関係を画定したテーブルが記憶されていることが好ましい。【００１０】
前記端末部は、前記演出コンテンツを選定する演出コンテンツ選定部を有し、前記信号出力部は、前記演出コンテンツ選定部で選定された前記演出コンテンツを特定するための情報を前記演出コンテンツ配信要求信号に追加して出力することが好ましい。【００１１】
前記演出コンテンツは、映画、音楽又は音声に関する動画又は静止画の少なくとも１つを含むことが好ましい。
【発明の効果】
【００１２】
本願発明によれば、端末部では、書籍コンテンツ表示部での書籍コンテンツに関する表示内容に紐付く信号又は情報が信号入力部から入力されたときに、演出コンテンツの配信を要求するための演出コンテンツ配信要求信号が信号出力部から出力される。【００１３】
コンテンツ配信部では、前記演出コンテンツ配信要求信号を受けて演出コンテンツ記憶部に記憶された演出コンテンツの中から所定の演出コンテンツがコンテンツ制御部によって指定される。そして、演出コンテンツ制御部で指定された演出コンテンツがデータ等として演出コンテンツ出力部によって端末部に出力される。【００１４】
これにより、端末部では、書籍コンテンツ表示部で表示される書籍コンテンツの表示内容に対して所定の演出コンテンツが合わせて出力され、演出効果が高くなる。【００１５】
演出コンテンツ出力部によって演出コンテンツがストリーミング形式又はダウンロード形式で配信される構成では、既存の配信形式を用いて容易にコンテンツが配信される。【００１６】
演出コンテンツ記憶部には、演出コンテンツと演出コンテンツ配信要求信号との対応関係を画定したテーブルが記憶されている構成では、演出コンテンツ配信要求信号を受けたときに演出コンテンツが容易に選定される。【００１７】
端末部の信号出力部では、演出コンテンツ選定部で選定された演出コンテンツを特定するための情報が演出コンテンツ配信要求信号に追加されて出力される。これにより、端末部側からの演出コンテンツの選定が可能になる。【００１８】
演出コンテンツには、映画、音楽又は音声に関する動画又は静止画の少なくとも１つが含まれているため、書籍コンテンツに複数の演出コンテンツを複合させた演出を実現できる。
【図面の簡単な説明】
【００１９】
【図１】本発明の第１実施形態に係るコンテンツ配信システムのネットワーク構成図である。
【図２】本発明の第１実施形態に係るコンテンツ配信システムのコンテンツ配信部の構成図である。
【図３】本発明の第１実施形態に係るコンテンツ配信システムの端末部の構成図である。
【図４】本発明の第１実施形態に係るコンテンツ配信制御処理のフローチャートである。
【図５】コンテンツ配信部と端末部との間における書籍コンテンツ配信要求信号と書籍コンテンツの配信データの流れを示す概念図である。
【図６】コンテンツ配信部と端末部との間における演出コンテンツ配信要求信号と演出コンテンツの配信データの流れを示す概念図である。
【図７】端末部から出力される演出コンテンツ配信要求信号の出力タイミングの一例を示したタイムチャートである。
【図８】端末部で実行される書籍コンテンツと演出コンテンツのコンテンツの稼動タイミングの一例を示したタイムチャートである。
【図９】本発明の第２実施形態に係るコンテンツ配信システムのコンテンツ配信部の構成図である。
【図１０】本発明の第３実施形態に係るコンテンツ配信システムの端末部の構成図である。
【図１１】書籍・演出コンテンツリストの一例を示す図である。
【図１２】本発明の第１実施形態に係るコンテンツ配信システムとＳＮＳとのマッチングを示したネットワーク構成図である。
【図１３】書籍・演出コンテンツのランキング表示の一例を示した図である。
【図１４】本発明の第１実施形態に係るコンテンツ配信システムと他のインターネットサービスとのマッチングを示したネットワーク構成図である。
【図１５】書籍コンテンツの表示中におけるリンク情報の一例を示した概念図である。
【図１６】端末部で表示される書籍コンテンツからリンク先コンテンツに移動するときり概念図である。
【発明を実施するための形態】
【００２０】
本発明の第１実施形態に係るコンテンツ配信システムについて、図面を参照して説明する。前記コンテンツ配信システムは、単にシステムだけではなく、例えばアプリケーションプログラムの形態としても実現され得る。
【００２１】
本実施形態において、単に「コンテンツ」には、書籍コンテンツの他に、演出コンテンツを含むものとする。
【００２２】
「書籍コンテンツ」とは、例えば、書籍の内容を示したデジタルデータ等を意味する。
【００２３】
「演出コンテンツ」とは、例えば、映画、音楽又は音声に関する動画又は静止画の少なくとも１つを含むデジタルデータ等を意味する。
【００２４】
［コンテンツ配信システムの全体構成］
先ず、コンテンツ配信システムの全体構成について説明する。なお、本システムにクラウドコンピューティング技術を採用することも可能である。この構成では、いわゆるサーバが不要となる構成を実現することが理論的に可能であるが、以下の説明では、一実施形態としてサーバを備えた構成を例示する。ただし、サーバが本発明の必須要件に該当するものではない。
【００２５】
図１に示すように、コンテンツ配信システム１０は、書籍コンテンツの配信と演出コンテンツの配信を同時に実現することができ、書籍コンテンツを端末部で再現しながら演出コンテンツを再現できるシステムである。
【００２６】
コンテンツ配信システム１０は、例えば、コンテンツ配信部１２と、端末部１４と、を含み、これらがインターネット等のネットワークを介して接続されている。
【００２７】
コンテンツ配信システム１０では、コンテンツ配信部１２から所定のコンテンツが端末部１２に対して配信される。配信形態としては、例えば、ストリーミング配信、ダウンロード配信などの形態を用いることが可能である。
【００２８】
なお、コンテンツ配信部１２と端末部１４とは、有線又は無線で通信可能に構築されている。無線通信技術として、例えば、無線ＬＡＮ、Ｗｉ−Ｆｉ、Ｂｌｕｅｔｏｏｔｈ（登録商標）などが利用されることが好ましい。なお、光無線通信、音波による通信も可能である。
【００２９】
［コンテンツ配信部］
次に、コンテンツ配信部１２について説明する。
【００３０】
図２に示すように、コンテンツ配信部１２は、例えば、一般のサーバで構成されるが、クラウドサーバ、その他のネットワーク・コンピュータを用いてもよい。コンテンツ配信部１２は、単数又は複数設けられていてもよい。
【００３１】
コンテンツ配信部１２は、例えば、制御部１２Ａと、記憶部１２Ｂと、入力部１２Ｃと、表示部１２Ｄと、出力部１２Ｅと、を含んで構成される。
【００３２】
制御部１２Ａは、例えば、主制御部１２Ａ１と、書籍コンテンツ制御部１２Ａ２と、演出コンテンツ制御部１２Ａ３と、を含む。
【００３３】
主制御部１２Ａ１は、主として、コンテンツ配信部１２の全体を制御する。
【００３４】
書籍コンテンツ制御部１２Ａ２は、端末部１４から出力されてきた書籍コンテンツ配信要求信号を受けて、端末部１４へ配信するための書籍コンテンツの内容を記憶部１２Ｂの書籍コンテンツ記憶部１２Ｂ１に記憶された書籍コンテンツのデジタルデータの中から指定する。
【００３５】
演出コンテンツ制御部１２Ａ３は、端末部１４から出力されてきた演出コンテンツ配信要求信号を受けて、端末部１４へ配信するための演出コンテンツの内容を記憶部１２Ｂの演出コンテンツ記憶部１２Ｂ２に記憶された演出コンテンツのデジタルデータの中から指定する。
【００３６】
記憶部１２Ｂは、例えば、ＲＯＭ又はＲＡＭなとで構成されている。記憶部１２Ｂは、例えば、書籍コンテンツ記憶部１２Ｂ１と、演出コンテンツ記憶部１２Ｂ２と、テーブル記憶部１２Ｂ３と、を有している。
【００３７】
書籍コンテンツ記憶部１２Ｂ１には、単数又は複数の書籍コンテンツに関するデジタルデータが記憶されている。書籍コンテンツの定義は、上述の通りである。
【００３８】
演出コンテンツ記憶部１２Ｂ２には、単数又は複数の演出コンテンツに関するデジタルデータが記憶されている。演出コンテンツの定義は、上述の通りである。
【００３９】
テーブル記憶部１２Ｂ３には、演出コンテンツと演出コンテンツ配信要求信号との対応関係を画定したテーブルが記憶されている。このテーブルを用いることにより、端末部１４から出力された演出コンテンツ配信要求信号がコンテンツ配信部１２に入力したときに、演出コンテンツ配信要求信号に含められた信号パターン又は情報から所定の演出コンテンツが特定される。
【００４０】
入力部１２Ｃは、例えば、単数又は複数のボタン、キーボードやタッチパネルなど所定の情報又は信号を入力することができるものをいう。例えば、入力部１２Ｃで押圧等の操作がなされることにより、入力部１２Ｃに所定の情報又は信号が入力されたことになる。なお、入力部１２Ｃの個数、形状、デザイン、構成については、特に限定されるものではない。
【００４１】
表示部１２Ｄは、例えば、液晶表示部などが採用される。なお、表示部１２Ｄの個数、形状、デザイン、構成については、特に限定されるものではない。
【００４２】
出力部１２Ｅは、例えば、書籍コンテンツ出力部１２Ｅ１と、演出コンテンツ出力部１２Ｅ２と、を有している。
【００４３】
書籍コンテンツ出力部１２Ｅ１は、書籍コンテンツ制御部１２Ａ２で指定された書籍コンテンツに関するデジタルデータを端末部１４に対して出力する。コンテンツの出力形態としては、ストリーミング配信、あるいはダウンロード配信が可能である。
【００４４】
演出コンテンツ出力部１２Ｅ２は、演出コンテンツ制御部１２Ａ３で指定された演出コンテンツに関するデジタルデータを端末部１４に対して出力する。コンテンツの出力形態としては、ストリーミング配信、あるいはダウンロード配信が可能である。
【００４５】
詳細には、コンテンツ配信では、一例としてストリーミング形式が存在するが、この形式に限定されるものではない。例えば、バッファ方式を伴わない形式、ダウンロード型に近い形式も有り得、それらを採用することも可能である。
【００４６】
例えば、ストリーム（ストリーミング）、プログレッシブダウンロード（疑似ストリーム）、ダウンロード等のいずれかを適宜採用できる。
【００４７】
ストリームとは、端末部１４に一時ファイル（キャッシュ）は作られず、送信されるコンテンツデータをそのまま流す方式である。
【００４８】
プログレッシブダウンロード（疑似ストリーム）とは、端末部１４側に一時ファイル（キャッシュ）が作られ、端末部１４側のブラウザなどのソフトウエアが、ユーザによる演出の視聴終了後にこの一時ファイルを自動的に削除あるいはユーザにより削除する方式である。
【００４９】
ここで、キャッシュとは、使用頻度の高いデータを高速処理の記憶装置に蓄えておくことにより、低速処理の装置から読み出す無駄を省いて高速化すること、あるいはその際に使われる高速な記憶装置や複製されたデータそのものを意味する。例えば、メモリはハードディスクに比べれば何百倍も高速にデータの読み書きが行えるため、使用頻度の高いデータをメモリ内に保持しておくことにより、すべてのデータをハードディスクに置いた場合よりも処理を高速化することができる。この場合、メモリに複製されたデータがハードディスクのキャッシュである。
【００５０】
ダウンロードとは、端末部１４に、ユーザが削除しない限り、消えないコピーデータが保存される方式である。
【００５１】
配信方法は、ストリーミング技術に限るものではないが、コンテンツデータである動画データ、音声データ、映像データ、画像データ、何らかの情報に関するデータ等を配信する場合には、例えばストリーミング技術が適している。
【００５２】
ストリーミング技術を採用することにより、例えば動画ファイルを一定サイズのバッファにダウンロードしながら再生することができる。そして、一度、動画ファイルのダウンロードが実行された場合には、例えばプログレッシブダウンロードのように結果としてダウンロード先の所定の記憶部にダウンロードされたファイルがキャッシュとして保存される方式と、ストリームのようにキャッシュが保存されない方式と、がある。
【００５３】
ここで、ストリームでは、所定の時間が経過すると、バッファメモリのデータが消去されるため、再生する場合には、再度ストリーミングを行い、データをバッファメモリに再度ダウンロードする必要が生じる。このため、次回再生するときに手間が生じるが、著作権問題の回避や使用料が低額となる場合には、便利である。
【００５４】
プログレッシブダウンロードでは、一度配信により取得したデータあるいはファイルについては、端末部１４側にキャッシュが保存されるため、再配信することなく、各端末部１４で何度も演出を再生することができる有利な点がある。
【００５５】
キャッシュは、当該ファイルを記憶部側に挿入する形で保存されることが好ましい。
【００５６】
ストリーミングの配信形式には、オンデマンド配信と、ライブ配信と、があり、本実施形態ではいずれか一方又は両者を含む。
【００５７】
具体的には、オンデマンド配信とは、例えば、コンテンツ配信部１２のストレージにエンコード済みファイルを登録して、端末部１４に対して、所定のコンテンツファイルを配信する方式である。
【００５８】
ライブ配信とは、オンデマンド配信のように予め作成しておいたファイルを配信するものではなく、撮影した映像等（生放送あるいは録画編集済みのどちらのものも可能）を、端末部１４に対して、順次、ストリーミング配信用のデータに変換（エンコード）してリアルタイムに配信する方式である。
【００５９】
［端末部］
次に、端末部について説明する。
【００６０】
図３に示すように、端末部１４は、例えば、一般の端末で構成され、携帯電話装置、パーソナルコンピュータなどを用いてもよい。端末部１４は、単数又は複数設けられていてもよい。
【００６１】
端末部１４は、例えば、制御部１４Ａと、記憶部１４Ｂと、入力部１４Ｃと、表示部１４Ｄと、出力部１４Ｅと、を含んで構成される。
【００６２】
制御部１４Ａは、例えば、主制御部１４Ａ１と、演出コンテンツ選定部１４Ａ２と、を含む。
【００６３】
主制御部１４Ａ１は、主として、端末部１４の全体を制御する。
【００６４】
演出コンテンツ選定部１４Ａ２は、入力部１４Ｃから入力された信号又は情報に基づいて所定の演出コンテンツを選定する。演出コンテンツ選定部１４Ａ２は、演出コンテンツ配信要求信号に選定された演出コンテンツを指定するための情報を追加する。
【００６５】
なお、演出コンテンツ選定部１４Ａ２は、入力部１４Ｃに設けてもよい。
【００６６】
記憶部１４Ｂは、例えば、ＲＯＭ又はＲＡＭなとで構成されている。記憶部１４Ｂは、例えば、第１の記憶領域１４Ｂ１と、第２の記憶領域１４Ｂ２と、を有している。
【００６７】
第１の記憶領域１４Ｂ１は、端末部１４の全体を制御するためのプログラム及び演出コンテンツ配信要求信号を出力するためのプログラムを記憶する。
【００６８】
第２の記憶領域１４Ｂ２は、演出コンテンツ及び書籍コンテンツに関するデータ及び情報、これらのコンテンツリスト、ランキング情報などを記憶する。コンテンツリスト、ランキング情報は、コンテンツ配信部１２側の記憶部１２Ｂに記憶されるように構成してもよい。
【００６９】
入力部１４Ｃは、例えば、単数又は複数のボタン、キーボードやタッチパネルなど所定の情報又は信号を入力することができるものをいう。入力部１４Ｃは、例えば、信号入力部１４Ｃ１を有している。例えば、入力部１４Ｃに押圧等の操作がなされることにより、信号入力部１４Ｃ１に所定の情報又は信号が入力されたことになる。なお、入力部１４Ｃの個数、形状、デザイン、構成については、特に限定されるものではない。
【００７０】
表示部１４Ｄは、例えば、液晶表示部などが採用される。表示部１４Ｄは、例えば、書籍コンテンツ表示部１４Ｄ１と、演出コンテンツ表示部１４Ｄ２と、を有している。なお、表示部１４Ｄの個数、形状、デザイン、構成については、特に限定されるものではない。
【００７１】
書籍コンテンツ表示部１４Ｄ１は、書籍コンテンツを表示するための表示領域を意味する。書籍コンテンツ表示部１４Ｄ１において、書籍の内容を閲覧することができる。書籍の内容の表示データ及び形式は、特に限定されるものではない。なお、書籍コンテンツ表示部１４Ｄ１は、液晶表示領域が好ましい。
【００７２】
演出コンテンツ表示部１４Ｄ２は、演出コンテンツを表示するための表示領域を意味する。演出コンテンツ表示部１４Ｄ２では、演出の内容を閲覧することができる。演出の内容として、例えば、映画、音楽又は音声に関する動画又は静止画の少なくとも１つを含むファイルの再生などが上げられるが、特に限定されるものではない。なお、演出コンテンツ表示部１４Ｄ２は、液晶表示領域が好ましい。
【００７３】
出力部１４Ｅは、例えば、信号出力部１４Ｅ１と、音出力部１４Ｅ２と、を有している。
【００７４】
信号出力部１４Ｅ１は、信号入力部１４Ｃ１から入力さた情報又は信号に基づいて所定の信号をコンテンツ配信部１２へ出力する。所定の信号としては、例えば、書籍コンテンツ配信要求信号、演出コンテンツ配信要求信号などがある。
【００７５】
音出力部１４Ｅ２は、コンテンツ配信部１２から配信されてきた演出コンテンツのデータに基づいた演出コンテンツの音又は音声などを出力する。なお、音出力部１４Ｅ２としては、例えば、スピーカなどである。
【００７６】
［コンテンツ配信制御処理］
次に、コンテンツ配信システムを用いたコンテンツ配信制御処理について説明する。なお、以下に示すコンテンツ配信制御処理は、単なる一例であり、これに限定されるものではない。
【００７７】
図４に示すように、書籍コンテンツ配信要求信号の入出力ステップが実行される（Ｓ１００）。書籍コンテンツ配信要求信号の入力ステップでは、例えば、ユーザが端末部１４の入力部１４Ｃを操作して信号入力部１４Ｃ１を介して所定の信号又は情報を入力する。具体的には、ユーザが希望する書籍コンテンツの種類を指示する情報又は信号を入力部１４Ｃで入力する。
【００７８】
書籍コンテンツ配信要求信号の出力ステップでは、前記信号入力部１４Ｃ１を介して所定の信号又は情報が入力されたときに、制御部１４Ａの主制御部１４Ａ１による監視を受けて書籍コンテンツ配信要求信号が出力部１４Ｅの信号出力部１４Ｅ１から出力される。これにより、図５に示すように、書籍コンテンツ配信要求信号が所定の通信手段を介してコンテンツ配信部１２に対して出力される。
【００７９】
なお、書籍コンテンツ配信要求信号は、端末部１４の主制御部１４Ａで前記信号の入力を受けたときに生成される構成でもよいし、前記信号の入力を受けたときに端末部１４の記憶部１４Ｂにある第１の記憶領域１４Ｂ１に記憶されたデータを用いてもよい。
【００８０】
次に、書籍コンテンツの配信ステップが実行される（Ｓ２００）。書籍コンテンツ配信要求信号がコンテンツ配信部１２に入力されたときに、コンテンツ配信部１２の制御部１２Ａにある書籍コンテンツ制御部１２Ａ２によって書籍コンテンツ配信要求信号に対応した書籍コンテンツを書籍コンテンツ記憶部１２Ｂ１の中から指定する。このとき、書籍コンテンツ配信要求信号と書籍コンテンツとの対応関係を示した所定のテーブルなどが用いられて、書籍コンテンツが指定されることが好ましい。
【００８１】
そして、図５に示すように、書籍コンテンツが指定されると、前記書籍コンテンツが出力部１２Ｅの書籍コンテンツ出力部１２Ｅ１から端末部１４に対して配信される。配信方法としては、前述のとおりであるが、ストリーミング形式やダウンロード形式などが好ましい。
【００８２】
端末部１４では、コンテンツ配信部１２からの書籍コンテンツの配信を受け、当該データに基づいて書籍コンテンツ表示部１４Ｄ１において書籍コンテンツの内容が表示される。これにより、ユーザは、書籍コンテンツを閲覧できる。
【００８３】
なお、配信を受けた書籍コンテンツのデータは、例えば、端末部１４の記憶部１４Ｂにある第２の記憶領域１４Ｂ２に保存されることが好ましい。
【００８４】
次に、演出コンテンツ配信要求信号の入出力ステップが実行される（Ｓ３００）。演出コンテンツ配信要求信号の入力ステップでは、例えば、ユーザが端末部１４の入力部１４Ｃを操作して信号入力部１４Ｃ１を介して所定の信号又は情報を入力する。具体的には、ユーザが希望する演出コンテンツの種類を指示する情報又は信号を入力部１４Ｃで入力する。
【００８５】
演出コンテンツ配信要求信号の出力ステップでは、信号入力部１４Ｃ１を介して所定の信号又は情報が入力されたときに、制御部１４Ａの主制御部１４Ａ１による監視を受けて演出コンテンツ配信要求信号が出力部１４Ｅの信号出力部１４Ｅ１から出力される。これにより、図６に示すように、演出コンテンツ配信要求信号が所定の通信手段を介してコンテンツ配信部１２に対して出力される。
【００８６】
なお、演出コンテンツ配信要求信号は、端末部１４の主制御部１４Ａ１で前記信号の入力を受けたときに生成される構成でもよいし、前記信号の入力を受けたときに端末部１４の記憶部１４Ｂにある第１の記憶領域１４Ｂ１に記憶されたデータを用いる構成でもよい。
【００８７】
次に、演出コンテンツの配信ステップが実行される（Ｓ４００）。演出コンテンツ配信要求信号がコンテンツ配信部１２に入力されたときに、コンテンツ配信部１２の制御部１２Ａにある演出コンテンツ制御部１２Ａ３によってコンテンツ配信要求信号に対応した演出コンテンツを演出コンテンツ記憶部１２Ｂ２の中から指定する。このとき、演出コンテンツ配信要求信号と演出コンテンツとの対応関係を示した所定のテーブルなどが用いられて、演出コンテンツが指定されることが好ましい。
【００８８】
そして、図６に示すように、演出コンテンツが指定されると、出力部１２Ｅの演出コンテンツ出力部１２Ｅ２から前記演出コンテンツが端末部１４に対して配信される。配信方法としては、前述のとおりであるが、ストリーミング形式やダウンロード形式などが好ましい。
【００８９】
端末部１４では、コンテンツ配信部１２からの演出コンテンツの配信を受け、当該データに基づいて演出コンテンツ表示部１４Ｄ２において演出コンテンツの内容が表示される。これにより、ユーザは、演出コンテンツを閲覧できる。
【００９０】
なお、配信を受けた演出コンテンツのデータは、例えば、端末部１４の記憶部１４Ｂの第２の記憶領域１４Ｂ２に保存されることが好ましい。
【００９１】
上述したように、コンテンツ配信制御処理では、書籍コンテンツの配信と演出コンテンツの配信とが関連させて実行され、２つのコンテンツの出力・再現が同時に実行されるため、演出効果が高くなる。具体的には、書籍コンテンツの内容を端末部１４の表示部１４Ｄにある書籍コンテンツ表示部１４Ｄ１で表示させて閲覧しながら、演出コンテンツを音出力部１４Ｅ２から出力させる。これにより、ユーザに視覚的演出効果と聴覚的演出効果を与えることができ、両方のコンテンツの相乗効果が得られ、演出性及び遊技性が高くなる。
【００９２】
［書籍コンテンツと演出コンテンツの配信タイミング］
次に、書籍コンテンツと演出コンテンツの配信タイミングについて説明する。
【００９３】
先ず、演出コンテンツ配信要求信号の出力は、書籍コンテンツ配信要求信号の出力が前提となる。すなわち、ユーザが端末部１４の入力部１４Ｃを操作してユーザが希望する書籍コンテンツに関する信号又は情報を入力する。これにより、図５に示すように、書籍コンテンツ配信要求信号が端末部１４からコンテンツ配信部１２に対して出力される。
【００９４】
そして、端末部１４が書籍コンテンツの配信を受け、端末部１４の書籍コンテンツ表示部１４Ｄ１において書籍コンテンツの内容が表示される。
【００９５】
ここで、図６に示すように、端末部１４の入力部１４Ｃが操作されて、演出コンテンツ配信要求信号が端末部１４からコンテンツ配信部１２に対して出力される。
【００９６】
演出コンテンツ配信要求信号の出力タイミングとして、図７に示すように、ΔＴ１、ΔＴ２、ΔＴ３、ΔＴ４、ΔＴ５、…、のタイミングで端末部１４の入力部１４Ｃが操作される。これにより、ΔＴ１、ΔＴ２、ΔＴ３、ΔＴ４、ΔＴ５、…、のタイミングで、演出コンテンツ配信要求信号が端末部１４からコンテンツ配信部１２に対して出力される。
【００９７】
ここで、ΔＴ１とは、ユーザが１回目に入力部１４Ｃを操作して演出コンテンツ配信要求信号を出力してから、２回目に入力部１４Ｃを操作して演出コンテンツ配信要求信号を出力するまでの時間間隔を意味する。換言すれば、当該ΔＴ１は、ユーザが１回目に端末部１４の入力部１４Ｃを操作してから、２回目に入力部１４Ｃを操作するタイミングに依存している。
【００９８】
同様にして、ΔＴ２とは、ユーザが２回目に入力部１４Ｃを操作して演出コンテンツ配信要求信号を出力してから、３回目に入力部１４Ｃを操作して演出コンテンツ配信要求信号を出力するまでの時間間隔を意味する。換言すれば、当該ΔＴ２は、ユーザが２回目に端末部１４の入力部１４Ｃを操作してから、３回目に入力部１４Ｃを操作するタイミングに依存している。
【００９９】
ΔＴ３とは、ユーザが３回目に入力部１４Ｃを操作して演出コンテンツ配信要求信号を出力してから、４回目に入力部１４Ｃを操作して演出コンテンツ配信要求信号を出力するまでの時間間隔を意味する。換言すれば、当該ΔＴ３は、ユーザが３回目に端末部１４の入力部１４Ｃを操作してから、４回目に入力部１４Ｃを操作するタイミングに依存している。
【０１００】
ΔＴ４とは、ユーザが４回目に入力部１４Ｃを操作して演出コンテンツ配信要求信号を出力してから、５回目に入力部１４Ｃを操作して演出コンテンツ配信要求信号を出力するまでの時間間隔を意味する。換言すれば、当該ΔＴ４は、ユーザが４回目に端末部１４の入力部１４Ｃを操作してから、５回目に入力部１４Ｃを操作するタイミングに依存している。
【０１０１】
ΔＴ５とは、ユーザが５回目に入力部１４Ｃを操作して演出コンテンツ配信要求信号を出力してから、６回目に入力部１４Ｃを操作して演出コンテンツ配信要求信号を出力するまでの時間間隔を意味する。換言すれば、当該ΔＴ５は、ユーザが５回目に端末部１４の入力部１４Ｃを操作してから、６回目に入力部１４Ｃを操作するタイミングに依存している。
【０１０２】
なお、ΔＴ６以降の時間間隔についても、同様に継続され得る。
【０１０３】
［書籍コンテンツと演出コンテンツの出力タイミング］
次に、書籍コンテンツと演出コンテンツの出力タイミングについて説明する。
【０１０４】
図８に示すように、書籍コンテンツの出力が実行される。具体的には、書籍コンテンツＡの出力時間がΔＴ１、書籍コンテンツＢの出力時間がΔＴ２、書籍コンテンツＣの出力時間がΔＴ３、書籍コンテンツＤの出力時間がΔＴ４、書籍コンテンツＥの出力時間がΔＴ５、…、である。各書籍コンテンツを表示させる場合には、これらの表示時間は、各書籍コンテンツの表示時間ともいえる。ここで、各書籍コンテンツの各出力時間は、書籍コンテンツの頁数に基づいて決定される。
【０１０５】
「書籍コンテンツＡ」は、例えば、所定の頁だけ、又は所定の頁にわたって継続して出力される演出であることを意味する。例えば、第１頁だけ、又は第１頁〜第１０頁等を意味する。なお、頁の数字部分は、特に限定されない。
【０１０６】
「書籍コンテンツＢ」は、例えば、所定の頁だけ、又は所定の頁にわたって継続して出力される演出であることを意味する。書籍コンテンツＢは、書籍コンテンツＡに続いて実行されるものである。例えば、第１１頁だけ、又は第１１頁〜第２０頁等を意味する。なお、頁の数字部分は、特に限定されない。
【０１０７】
「書籍コンテンツＣ」は、例えば、所定の頁だけ、又は所定の頁にわたって継続して出力される演出であることを意味する。書籍コンテンツＣは、書籍コンテンツＢに続いて実行されるものである。例えば、第２１頁だけ、又は第２１頁〜第３０頁等を意味する。なお、頁の数字部分は、特に限定されない。
【０１０８】
「書籍コンテンツＤ」は、例えば、所定の頁だけ、又は所定の頁にわたって継続して出力される演出であることを意味する。書籍コンテンツＤは、書籍コンテンツＣに続いて実行されるものである。例えば、第３１頁だけ、又は第３１頁〜第４０頁等を意味する。なお、頁の数字部分は、特に限定されない。
【０１０９】
「書籍コンテンツＥ」は、例えば、所定の頁だけ、又は所定の頁にわたって継続して出力される演出であることを意味する。書籍コンテンツＥは、書籍コンテンツＤに続いて実行されるものである。例えば、第４１頁だけ、又は第４１頁〜第５０頁等を意味する。なお、頁の数字部分は、特に限定されない。
【０１１０】
次に、演出コンテンツの出力が実行される。具体的には、演出コンテンツＡの出力時間がΔＴ１、演出コンテンツＢの出力時間がΔＴ２、演出コンテンツＣの出力時間がΔＴ３、演出コンテンツＤの出力時間がΔＴ４、演出コンテンツＥの出力時間がΔＴ５、…、である。このように、各演出コンテンツの各出力時間は、例えば、各書籍コンテンツの頁をめくるときの端末部１４での入力部１４Ｃでの操作タイミングに基づく。
【０１１１】
詳細には、演出コンテンツＡは、端末部１４の入力部１４Ｃの１回目の操作によって演出コンテンツ配信要求信号がコンテンツ配信部１２に対して出力され、コンテンツ配信部１２はこれを受けて演出コンテンツＡのデータを端末部１４に対して配信する。そして、端末部１４における演出コンテンツＡの実行がΔＴ１だけ継続する。
【０１１２】
詳細には、演出コンテンツＢは、端末部１４の入力部１４Ｃの２回目の操作によって演出コンテンツ配信要求信号がコンテンツ配信部１２に対して出力され、コンテンツ配信部１２はこれを受けて演出コンテンツＢのデータを端末部１４に対して配信する。そして、端末部１４における演出コンテンツＢの実行がΔＴ２だけ継続する。
【０１１３】
詳細には、演出コンテンツＣは、端末部１４の入力部１４Ｃの３回目の操作によって演出コンテンツ配信要求信号がコンテンツ配信部１２に対して出力され、コンテンツ配信部１２はこれを受けて演出コンテンツＣのデータを端末部１４に対して配信する。そして、端末部１４での演出コンテンツＣの実行がΔＴ３だけ継続する。
【０１１４】
詳細には、演出コンテンツＤは、端末部１４の入力部１４Ｃの４回目の操作によって演出コンテンツ配信要求信号がコンテンツ配信部１２に対して出力され、コンテンツ配信部１２はこれを受けて演出コンテンツＤのデータを端末部１４に対して配信する。そして、端末部１４における演出コンテンツＤの実行がΔＴ４だけ継続する。
【０１１５】
詳細には、演出コンテンツＥは、端末部１４の入力部１４Ｃの５回目の操作によって演出コンテンツ配信要求信号がコンテンツ配信部１２に対して出力され、コンテンツ配信部１２はこれを受けて演出コンテンツＥのデータを端末部１４に対して配信する。そして、端末部１４における演出コンテンツＥの実行がΔＴ５だけ継続する。
【０１１６】
詳細には、演出コンテンツＥ以降の演出コンテンツの出力についても、同様に進行する。
【０１１７】
これらの結果、書籍コンテンツＡの内容が書籍コンテンツ表示部１４Ｄ１で表示されている時間ΔＴ１だけ、演出コンテンツＡが演出コンテンツ表示部１４Ｄ２において表示され、又は音出力部１４Ｅ２から出力される。これにより、ユーザは、書籍コンテンツＡの内容を閲覧しながら、演出コンテンツＡの演出を体験することができる。なお、演出コンテンツＡの出力は、演出コンテンツ表示部１４Ｄ２での表示及び音出力部１４Ｅ２での音声出力などがある。
【０１１８】
書籍コンテンツＢの内容が書籍コンテンツ表示部１４Ｄ１で表示されている時間ΔＴ２だけ、演出コンテンツＢが演出コンテンツ表示部１４Ｄ２において表示され、又は音出力部１４Ｅ２から出力される。これにより、ユーザは、書籍コンテンツＢの内容を閲覧しながら、演出コンテンツＢの演出を体験することができる。なお、演出コンテンツＢの出力は、演出コンテンツ表示部１４Ｄ２での表示及び音出力部１４Ｅ２での音声出力などがある。
【０１１９】
書籍コンテンツＣの内容が書籍コンテンツ表示部１４Ｄ１で表示されている時間ΔＴ３だけ、演出コンテンツＣが演出コンテンツ表示部１４Ｄ２において表示され、又は音出力部１４Ｅ２から出力される。これにより、ユーザは、書籍コンテンツＣの内容を閲覧しながら、演出コンテンツＣの演出を体験することができる。なお、演出コンテンツＣの出力は、演出コンテンツ表示部１４Ｄ２での表示及び音出力部１４Ｅ２での音声出力などがある。
【０１２０】
書籍コンテンツＤの内容が書籍コンテンツ表示部１４Ｄ１で表示されている時間ΔＴ４だけ、演出コンテンツＤが演出コンテンツ表示部１４Ｄ２において表示され、又は音出力部１４Ｅ２から出力される。これにより、ユーザは、書籍コンテンツＤの内容を閲覧しながら、演出コンテンツＤの演出を体験することができる。なお、演出コンテンツＤの出力は、演出コンテンツ表示部１４Ｄ２での表示及び音出力部１４Ｅ２での音声出力などがある。
【０１２１】
書籍コンテンツＥの内容が書籍コンテンツ表示部１４Ｄ１で表示されている時間ΔＴ５だけ、演出コンテンツＥが演出コンテンツ表示部１４Ｄ２において表示され、又は音出力部１４Ｅ２から出力される。これにより、ユーザは、書籍コンテンツＥの内容を閲覧しながら、演出コンテンツＥの演出を体験することができる。なお、演出コンテンツＥの出力は、演出コンテンツ表示部１４Ｄ２での表示及び音出力部１４Ｅ２での音声出力などがある。
【０１２２】
ここで、一例として、ユーザが端末部１４の入力部１４Ｃを操作するタイミングとして、書籍コンテンツが書籍コンテンツ表示部１４Ｄ１で表示されている状態で、表示部１４Ｄの所定の表示領域又は入力部１４Ｃを操作することにより、書籍コンテンツ表示部１４Ｄ１での書籍コンテンツの表示内容が変わるとともに、演出コンテンツ配信要求信号が端末部１４からコンテンツ配信部に出力される構成が好ましい。
【０１２３】
この構成では、書籍コンテンツが書籍コンテンツ表示部１４Ｄ１で表示されている状態で、表示部１４Ｄの所定の部位又は入力部１４Ｃを操作すると、ストリーミング又はダウンロードで配信を受けている書籍コンテンツの表示内容を変更するための書籍コンテンツ表示内容の変更信号がコンテンツ配信部１２に出力される。すなわち、コンテンツ配信部１２に対して出力される表示変更制御命令である。
【０１２４】
あるいは、書籍コンテンツが端末部１４に記憶されている形態では、前記書籍コンテンツ表示内容の変更信号が端末部１４の主制御部１４Ａ１から端末部１４の表示部１４Ｄに対して出力される。すなわち、端末部１４の内部に対して出力される表示変更制御命令である。これにより、書籍コンテンツ表示部１４Ｄ１の表示制御が実行され、書籍コンテンツ表示部１４Ｄ１での書籍コンテンツ表示内容が変更される。具体的には、書籍コンテンツ表示部１４Ｄ１での書籍の表示ページが更新される。
【０１２５】
このように、書籍コンテンツ表示部１４Ｄ１での書籍コンテンツ表示内容が変更される度に、演出コンテンツの内容が変更される。これにより、ユーザが書籍コンテンツの内容に応じて変化する演出コンテンツを体験できるため、演出性が高くなる。
【０１２６】
演出コンテンツ配信要求信号と演出コンテンツとの対応関係を画定したテーブルを予めコンテンツ配信部１２の記憶部１２Ｂに記憶させておくことにより、端末部１４から出力されてきた演出コンテンツ配信要求信号に対して瞬時に演出コンテンツを指定することができ、演出コンテンツの配信処理までの反応速度が速くなる。これにより、コンテンツ配信システム１０による演出コンテンツの配信が円滑になる。
【０１２７】
また、コンテンツ配信部１２が演出コンテンツ配信要求信号を受けたときに主制御部１２Ａ１等が例えば乱数抽選処理を実行し、所定の演出コンテンツの内容を指定してもよい。この場合には、乱数抽選処理の結果を介して選ばれた所定の演出コンテンツが端末部１４に対して配信される。これにより、演出性に遊び心を加えることができ、遊技性が高くなる。
【０１２８】
特に、端末部１４の演出コンテンツ選定部１４Ａ２を介してユーザがお気に入りの演出コンテンツを選定することにより、演出コンテンツ配信要求信号に対して演出コンテンツの内容を指定する情報を追加することができる。これにより、書籍コンテンツを書籍コンテンツ表示部１４Ａ１で表示させながら、コンテンツ配信部１２からユーザが大好きな演出コンテンツの配信を受けることができる。この結果、演出性が一層高くなる。
【０１２９】
次に、本発明の第２実施形態に係るコンテンツ配信システムについて、図面を参照して説明する。
【０１３０】
図９に示すように、コンテンツ配信部１２は、機能部１２Ｆをさらに有している。なお、コンテンツ配信部１２のその他の構成については、第１実施形態に係るコンテンツ配信システム１０のコンテンツ配信部１２の構成と同様であり、説明を省略する。
【０１３１】
機能部１２Ｆは、例えば、書籍コンテンツリスト作成部１２Ｆ１と、演出コンテンツリスト作成部１２Ｆ２と、を含む。
【０１３２】
書籍コンテンツリスト作成部１２Ｆ１は、端末部１４から書籍コンテンツ配信要求信号を受けたときに指定された書籍コンテンツの種類がリスト化された書籍コンテンツリストを作成する。同一の識別番号である端末部１４ごとに書籍コンテンツリストを作成することができ、又はユーザごとに書籍コンテンツリストを作成することもできる。さらには、端末部１４からの書籍コンテンツ配信要求信号の出力先や書籍コンテンツ配信要求信号の出力タイミングなどの諸条件をグルーピング又は編集して書籍コンテンツリストを作成することもできる。
【０１３３】
特に、書籍コンテンツリスト作成部１２Ｆ１は、端末部１４に配信された書籍コンテンツの書籍コンテンツ表示部１４Ｄ１での表示内容（ページ内容）とその表示内容（ページ内容）の表示時に出力（指定）された演出コンテンツの演出内容との対応関係に関する情報を書籍コンテンツリストに含めることが好ましい。
【０１３４】
演出コンテンツリスト作成部１２Ｆ２は、端末部１４から演出コンテンツ配信要求信号を受けたときに指定された演出コンテンツの種類がリスト化された演出コンテンツリストを作成する。同一の識別番号である端末部１４ごとに演出コンテンツリストを作成することができ、又はユーザごとに演出コンテンツリストを作成することもできる。さらには、端末部１４からの演出コンテンツ配信要求信号の出力先や演出コンテンツ配信要求信号の出力タイミングなどの諸条件をグルーピング又は編集して演出コンテンツリストを作成することもできる。
【０１３５】
特に、演出コンテンツリスト作成部１２Ｆ２は、端末部１４に配信された書籍コンテンツの書籍コンテンツ表示部１４Ｄ１での表示内容（ページ内容）とその表示内容（ページ内容）の表示時に出力（指定）された演出コンテンツの演出内容との対応関係に関する情報を演出コンテンツリストに含めることが好ましい。
【０１３６】
なお、書籍コンテンツリスト及び演出コンテンツリストは、データとして、コンテンツ配信部１２の記憶部１２Ｂに記憶されることが好ましい。記憶場所は、書籍コンテンツ記憶部１２Ｂ１又は演出コンテンツ記憶部１２Ｂ２の一方又は両方でもよい。また、これらのリストを端末部１４に出力することも可能である。
【０１３７】
次に、本発明の第３実施形態に係るコンテンツ配信システムについて、図面を参照して説明する。
【０１３８】
図１０に示すように、端末部１４は、機能部１４Ｆをさらに有している。なお、端末部１４のその他の構成については、第１実施形態に係るコンテンツ配信システム１０の端末部１４の構成と同様であり、説明を省略する。
【０１３９】
機能部１４Ｆは、例えば、書籍コンテンツリスト作成部１４Ｆ１と、演出コンテンツリスト作成部１４Ｆ２と、を含む。
【０１４０】
書籍コンテンツリスト作成部１４Ｆ１は、端末部１４から書籍コンテンツ配信要求信号を出力したときに指定された書籍コンテンツの種類がリスト化された書籍コンテンツリストを作成する。これにより、端末部１４ごとに書籍コンテンツリストを作成することができ、又はユーザごとに書籍コンテンツリストを作成することもできる。さらには、端末部１４からの書籍コンテンツ配信要求信号の出力先や書籍コンテンツ配信要求信号の出力タイミングなどの諸条件をグルーピング又は編集して書籍コンテンツリストを作成することもできる。
【０１４１】
特に、書籍コンテンツリスト作成部１４Ｆ１は、端末部１４に配信された書籍コンテンツの書籍コンテンツ表示部１４Ｄ１での表示内容（ページ内容）とその表示内容（ページ内容）の表示時に出力（指定）された演出コンテンツの演出内容との対応関係に関する情報を書籍コンテンツリストに含めることが好ましい。
【０１４２】
演出コンテンツリスト作成部１４Ｆ２は、端末部１４から演出コンテンツ配信要求信号を出力したときに指定された演出コンテンツの種類がリスト化された演出コンテンツリストを作成する。これにより、端末部１４ごとに演出コンテンツリストを作成することができ、又はユーザごとに演出コンテンツリストを作成することもできる。さらには、端末部１４からの演出コンテンツ配信要求信号の出力先や演出コンテンツ配信要求信号の出力タイミングなどの諸条件をグルーピング又は編集して演出コンテンツリストを作成することもできる。
【０１４３】
特に、演出コンテンツリスト作成部１４Ｆ２は、端末部１４に配信された書籍コンテンツの書籍コンテンツ表示部１４Ｄ１での表示内容（ページ内容）とその表示内容（ページ内容）の表示時に出力（指定）された演出コンテンツの演出内容との対応関係に関する情報を演出コンテンツリストに含めることが好ましい。
【０１４４】
なお、書籍コンテンツリスト及び演出コンテンツリストは、データとして、端末部１４の記憶部１４Ｂに記憶されることが好ましいが、コンテンツ配信部１２の記憶部１２Ｂに記憶されてもよい。
【０１４５】
ここで、書籍コンテンツリスト及び演出コンテンツリストの一例として、図１１に示すように、書籍コンテンツと演出コンテンツの組み合わせがリストされている。ユーザは、自身の端末部１４からお気に入りのコンテンツを指定したコンテンツ配信要求信号をコンテンツ配信部１２に対して出力し、コンテンツ配信部１２から指定したコンテンツの配信を受ける。
【０１４６】
なお、図１１に示す書籍コンテンツと演出コンテンツの組み合わせは、図８に基づくものであり、一例に過ぎない。
【０１４７】
［各種コンテンツリストのＳＮＳ利用］
ここで、図１２に示すように、書籍コンテンツリスト及び演出コンテンツリストに関するデータをコンテンツ配信部１２又は端末部１４からネットワークを介して複数のＳＮＳ（通信部）１６上に接続することができる。
【０１４８】
具体的には、ＳＮＳ１６を利用して自身の書籍コンテンツリスト及び演出コンテンツリストを提供することが可能である。また、ＳＮＳ１６上でのランキングへの参加、“いいね”や“シェア”のボタンを設置して拡散周知させることも可能である。
【０１４９】
さらには、自身の書籍コンテンツリスト及び演出コンテンツリストをネットワーク上で販売することも可能である。この場合には、自身の書籍コンテンツリスト及び演出コンテンツリストをサーバやクラウドサーバに登録し、周知の決済システムを利用することによりコンテンツビジネスを実現することができる。
【０１５０】
図１３に示すように、ＳＮＳ上で自身の書籍コンテンツと演出コンテンツ（例えば、図１１参照）を拡散させて、支持ポイントを募ることが可能になる。例えば、ＳＮＳ上で“いいね”や“シェア”等で支持された回数又は当該回数を用いて算出された数値によりランキングが演出表示される。当該ランキングでは、書籍コンテンツと演出コンテンツのいずれか一方又は両方が表示されている。
【０１５１】
図１３では、一例として、１位では支持ポイント１１６８００、演出コンテンツＢ、２位では支持ポイント９７５８０、演出コンテンツＤ、３位では支持ポイント８８５２８、書籍コンテンツＡと演出コンテンツＣ、４位では支持ポイント５７２０５、演出コンテンツＡ、５位では支持ポイント２５００４、書籍コンテンツＢを示す。
【０１５２】
ここで、ランキング表示に書籍コンテンツのみの表示がされている場合、所定の演出コンテンツを組み合わせることができる。例えば、他人又は自身の書籍コンテンツがランキング表示されている場合に、自身が希望する演出コンテンツを端末部１４から入力指定することができる。演出コンテンツが入力指定された場合には、コンテンツ配信部１２に信号として出力され、入力指定された演出コンテンツがランキング表示に反映される。
【０１５３】
図１３では、５位に書籍コンテンツＢが支持されているが、例えば、これにお気に入りの演出コンテンツＥを組み合わせることができる。
【０１５４】
なお、演出コンテンツのみが表示されている場合に、書籍コンテンツを組み合わせてもよい。
【０１５５】
ここで、ランキング内へのコンテンツを指定する者に対して、所定額の金額又は電子マネー等を課金して徴収してもよい。
【０１５６】
また、ランキング表示の内容はＳＮＳ上で拡散されているため、各々の端末部１４からお気に入りのコンテンツを購入することも可能である。この場合の売り上げは、例えば、コンテンツ配信部１２を管理する事業者が集められ、コンテンツ提供者又はコンテンツ入力指定者に対して所定額の現金又は電子マネーとして還元される。
【０１５７】
なお、上記内容は、端末部１４上で実行できるようにしてもよい。
【０１５８】
［アプリケーションとしての利用］
次に、上記各実施形態のコンテンツ配信システム１０の機能をアプリケーションプログラム（以下、適宜「アプリケーション」と称する）として、会員に対して配信することができる。
【０１５９】
会員登録するためには、住所、氏名、電子メールアドレス、電話番号などの個人情報を入力し、所定のサービス料を納付することにより実現される。なお、個人情報の内容、サービス料の有無については契約で適宜決定することができる。
【０１６０】
図２に示すコンテンツ配信部１２の記憶部１２Ｂにコンテンツ配信システム１０のアプリケーションプログラムが記憶されており、会員の端末部１４に対してアプリケーションを出力する。このとき、会員は、アプリケーションを自身の端末部１４にダウンロードする。アプリケーションプログラムは端末部１４の記憶部１４Ｂに記憶される。これにより、端末部１４でアプリケーションを介してコンテンツ配信システム１０の機能を実現することができる。
【０１６１】
端末部１４の記憶部１４Ｂに、会員の個人情報とサービス料の納付に関する情報を記憶する。これにより、会員が登録した内容と支払ったサービス料に関する情報をいつでも確認及び参照することができる。
【０１６２】
他方、コンテンツ配信部１２の記憶部１２Ｂに、会員の個人情報とサービス料の納付に関する情報を記憶する。これにより、コンテンツ配信部１２を運営する事業者が会員に対して購買やアンケートの依頼などに関するサービス情報をアプリケーション上で又は電子メール・郵便等で提供することができる。さらには、会員の購買履歴などの情報、会員の活動・行動に関する履歴などの情報をリアルタイム又は定期的に取得することができ、事業者のマーケティング活動をさらに促進できる。これらにより、コンテンツ配信システム１０で提供されるサービスの改善・向上を実現できる。
【０１６３】
［インターネットサービスとのマッチング］
上記各実施形態のコンテンツ配信システムは、様々なインターネットサービスとのマッチングとして機能することも可能である。この構成では、図１４に示すように、コンテンツ配信システム１０が他のインターネットサービスサーバ１８に対してネットワークを介して通信可能になる。
【０１６４】
なお、コンテンツ配信システム１０がインターネットサービスサーバ１８の内部のシステムに組み込まれてもよい。
【０１６５】
このように構成することにより、他のインターネットサービスの一機能としてコンテンツ配信システム１０の機能を追加することができる。具体的には、他のインターネットサービスの有料会員のみに提供できるコンテンツ配信システム１０として利用することができる。これにより、物販に関するインターネットサービスがある場合、書籍の購入者である有料会員に対して演出コンテンツを提供することができる。
【０１６６】
［書籍コンテンツでのリンク機能］
次に、端末部１４に配信された書籍コンテンツから他のサイト等に移動することができる機能について説明する。
【０１６７】
図１５に示すように、端末部１４に配信された書籍コンテンツが配信された場合、端末部１４の書籍コンテンツ表示部１４Ｄ１で表示される。
【０１６８】
ここで、コンテンツ配信部１２から配信される書籍コンテンツには、所定のリンク先情報が含まれている。「所定のリンク先」とは、例えば、所定のコンテンツを再現し得るホームページ、ウエブサイト、ソフトウエア、アプリケーションなどを意味する。これらのリンク先では、音楽コンテンツ、書籍コンテンツ、ゲームコンテンツ、アニメコンテンツなどの様々なコンテンツの動画等における再生及びこれらの販売、その他物品の販売、アプリケーションのダウンロード配信などの経済活動が実現されるリンク先コンテンツが含まれる。
【０１６９】
具体的には、端末部１４の書籍コンテンツ表示部１４Ｄ１において書籍コンテンツの内容が表示されている状態では、所定の情報が表示される。その中で所定のキーワードや図形などの情報（以下、「リンク情報」という）にリンク先情報が付加され当該リンク先が設定されている。
【０１７０】
このため、図１５及び図１６に示すように、端末部１４の書籍コンテンツ表示部１４Ｄ１において表示されるリンク先情報２０をタッチパネルで選択すると、当該リンク先のリンク先コンテンツ２２が表示部１４に表示される。当該リンク先コンテンツ２２では、端末部１４などを介して通信上で所定の経済活動を実現することができる。
【０１７１】
ここで、書籍コンテンツを介したリンク先コンテンツでの活動での収益は、例えば、端末部１４に書籍コンテンツの配信を受けたユーザ又は／及び前記書籍コンテンツを配信したコンテンツ配信部１２の管理者に対して所定の額が還元されるようにしてもよい。
【符号の説明】
【０１７２】
１０          コンテンツ配信システム
１２          コンテンツ配信部
１４          端末部
１６          ＳＮＳ（通信部）
１８          インターネットサービスサーバ
【図１】
2017109993.tif 000003
【図２】
2017109993.tif 000004
【図３】
2017109993.tif 000005
【図４】
2017109993.tif 000006
【図５】
2017109993.tif 000007
【図６】
2017109993.tif 000008
【図７】
2017109993.tif 000009
【図８】
2017109993.tif 000010
【図９】
2017109993.tif 000011
【図１０】
2017109993.tif 000012
【図１１】
2017109993.tif 000013
【図１２】
2017109993.tif 000014
【図１３】
2017109993.tif 000015
【図１４】
2017109993.tif 000016
【図１５】
2017109993.tif 000017
【図１６】
2017109993.tif 000018
【国際調査報告】
2017109993.tif 000019
2017109993.tif 000020